(57)【要約】【課題】画像形成装置本体の本体フレームの上側に固定されるスキャナ筐体と、スキャナ筐体の上面を開閉可能に覆う原稿押さえ部材と、スキャナ筐体に対して上下方向に移動可能に設けられた脚部と、該脚部の上端に固定された静止部と、静止部に対してヒンジ軸を介して回動可能に連結され、原稿押さえ部材を支持する回動部と、該回動部と静止部との間に介在して原稿押さえ部材の開放角度を任意の角度に保持する保持機構とを備えた画像読取装置において、脚部からの荷重に起因する構成部品の破損及び変形を防止しつつ、原稿さえ部材の閉じ際の速度を十分に抑制する。【解決手段】上下方向に延び、スキャナ筐体を上下方向に貫通すると共に、下端部が本体フレームに固定された筒部９をさらに備え、脚部５１は、筒部９の上端開口から該筒部９内に挿入されて原稿押さえ部材側に傾くように構成されている。【選択図】図７
2016051966.tif 000002
【特許請求の範囲】
【請求項１】
原稿が載置されるコンタクトガラスを上面に有し、画像形成装置本体の本体フレームの上側に固定されるスキャナ筐体と、該スキャナ筐体内に収容され、上記コンタクトガラス上の原稿の画像を光学的に読取る画像読取部と、上記スキャナ筐体の上面を開閉可能に覆う原稿押さえ部材と、上記スキャナ筐体に対して上下方向に移動可能に構成された脚部と、該脚部の上端に固定された静止部と、該静止部に対してヒンジ軸を介して回動可能に連結され、上記原稿押さえ部材を支持する回動部と、該回動部と上記静止部との間に介在して、上記原稿押さえ部材に対し開方向の付勢力を付与することで該原稿押さえ部材の開放角度を任意の角度に保持する保持機構と、を備えた画像読取装置であって、
上下方向に延び、上記スキャナ筐体を上下方向に貫通すると共に、下端部が上記本体フレームに固定された筒部をさらに備え、
上記脚部は、上記筒部の上端開口から該筒部内に挿入されて上記原稿押さえ部材の自重により該筒部内において該原稿押さえ部材側に傾くように構成されている、画像読取装置。
【請求項２】
請求項１記載の画像読取装置において、
上記筒部は、上下方向に延びる筒部本体と、該筒部本体の下端部に接続され、上記本体フレームにおける上記スキャナ筐体を支持する支持面に固定される固定座部と、を有し、
上記固定座部には、上記画像形成装置本体側より発生する振動を吸収する吸振部材が取り付けられている、画像読取装置。
【請求項３】
請求項１又は２記載の画像読取装置において、
上記脚部が挿入される上記筒部の数は２つである、画像読取装置。
【請求項４】
請求項１乃至３のいずれか一項に記載の画像読取装置と、
上記画像形成装置本体内に収容され、上記画像読取装置により読取った原稿の画像を用紙に印刷する画像形成部とを備えた画像形成装置。
【発明の詳細な説明】
【技術分野】
【０００１】
本発明は、画像読取装置及び該画像読取装置を備えた画像形成装置に関する。
【背景技術】
【０００２】
従来より、複写機等の画像形成装置に搭載される画像読取装置として、原稿が載置されるコンタクトガラスを上面に有するスキャナ筐体と、スキャナ筐体内に収容され、コンタクトガラス上の原稿の画像を読取る画像読取部と、コンタクトガラス上の原稿を押さえるための原稿押さえ部材とを備えたものが知られている。上記原稿押さえ部材の後端部には回動金具が取付けられている。回動金具はヒンジ軸を介して静止金具に連結されている。静止金具は、上下方向に延びる脚部の上端部に固定されている。該脚部は、スキャナ筐体上面の後端部に形成された支持孔に挿入されている（例えば、特許文献１参照）。そして、上記脚部が上記支持孔内を上下方向にスライドすることで原稿の厚さの大小に対応可能になっている。この支持孔の側壁は、例えばスキャナ筐体と一体成形された筒部により形成されている。
【０００３】
上記画像読取装置はさらに、原稿押さえ部材の開放角度を任意の角度に保持する保持機構を備えている。この保持機構は、回動金具と静止金具との間に配設された圧縮バネと、該圧縮バネを保持するリテーナ−と、静止金具に支持されてリテーナ−の傾斜面に当接する当接軸とを備えている。原稿押さえ部材の開放角度が所定範囲内にある場合には、この圧縮バネの付勢力により原稿押さえ部材が開き側に付勢され、原稿押さえ部材の自重と圧縮バネの付勢力とがバランスする。この結果、原稿押さえ部材が任意の開放角度に保持される。
【０００４】
上記画像読取装置では、原稿押さえ部材が閉じる際の衝撃音を緩和するべく種々の技術が提案されている。これら種々の技術のうちの一つとして、支持孔の内径を脚部の外径に比べて大きくとることが挙げられる。これにより、該脚部を支持孔内において原稿押さえ部材側に傾けて突っ張らせることができるので、原稿押さえ部材の閉じ際の速度が抑制される。
【先行技術文献】
【特許文献】
【０００５】
【特許文献１】特開２００２−１４４９６号公報
【発明の概要】
【発明が解決しようとする課題】
【０００６】
しかしながら、上述のように脚部を支持孔内で突っ張らせる方法では、脚部と支持孔の内壁面との当接部に、原稿押さえ部材の自重を支えるだけの大荷重が作用してしまう。このため、支持孔の内壁面を形成する筒部が変形したり破損したりする虞がある。これに対して、筒部の厚みを大きくとってその剛性を向上させることが考えられる。しかし、この場合、筒部の厚みの増加に伴い材料コストが増加するという問題がある。
【０００７】
本発明は、かかる点に鑑みてなされたものであり、その目的とするところは、原稿押さえ部材と共に上下方向にスライドする脚部からの荷重に起因する構成部品の破損及び変形を防止しつつ、原稿さえ部材の閉じ際の速度を十分に抑制しようとすることにある。
【課題を解決するための手段】
【０００８】
本発明に係る画像読取装置は、原稿が載置されるコンタクトガラスを上面に有し、画像形成装置本体の本体フレームの上側に固定されるスキャナ筐体と、該スキャナ筐体内に収容され、上記コンタクトガラス上の原稿の画像を光学的に読取る画像読取部と、上記スキャナ筐体の上面を開閉可能に覆う原稿押さえ部材と、上記スキャナ筐体に対して上下方向に移動可能に構成された脚部と、該脚部の上端に固定された静止部と、該静止部に対してヒンジ軸を介して回動可能に連結され、上記原稿押さえ部材を支持する回動部と、該回動部と上記静止部との間に介在して、上記原稿押さえ部材に対し開方向の付勢力を付与することで該原稿押さえ部材の開放角度を任意の角度に保持する保持機構と、を備えた画像読取装置を対象とする。
【０００９】
そして、上記画像読取装置は、上下方向に延び且つ上記スキャナ筐体を上下方向に貫通すると共に下端部が上記本体フレームに固定された筒部をさらに備え、上記脚部は、上記筒部の上端開口から該筒部内に挿入されて上記原稿押さえ部材の自重により該筒部内において該原稿押さえ部材側に傾くように構成されている。
【００１０】
この構成によれば、原稿押さえ部材を支持する回動部が静止部に支持されたヒンジ軸回りに回動させることで、筐体の上面を原稿押さえ部材により開閉することができる。上記静止部は上下方向に延びる脚部の上端に固定されており、この脚部は上下方向に延びる筒部の上端開口に挿入されて上下方向に移動可能になっている。これにより、ユーザーは、原稿押さえ部材をこの脚部と共に上下方向に移動させることで原稿の大小に対応可能になっている。また、上記保持機構により原稿押さえ部材に対し開方向の付勢力が付与されるので、ユーザーは原稿を任意の角度に保持することができる。原稿押さえ部材を閉じる際には、上記脚部が上記筒部内で原稿押さえ部材側に傾いて突っ張ることで、原稿押さえ部材の閉じ速度を十分に減衰することができる。そして上記構成によれば、この筒部が画像形成装置本体の本体フレームに固定されているので、例えば筒部を筐体の側面に固定したり筐体と一体形成したりした場合に比べて筒部の剛性を格段に高めることができる。よって、脚部が筒部内で突っ張った際に、筒部が脚部からの荷重により変形したり破損したりするのを防止することができる。
【００１１】
しかも、上記筒部は、上記筐体を上下方向に貫通していて、本体フレームに対するスキャナ筐体の位置決め部としても機能する。したがって、本体フレームに対するスキャナ筐体の位置決め機構を別途設ける必要がないので、装置全体の低コスト化を図ることができる。
【００１２】
上記筒部は、上下方向に延びる筒部本体と、該筒部本体の下端部に接続され、上記本体フレームにおける上記スキャナ筐体を支持する支持面に固定される固定座部と、を有し、上記固定座部には、上記画像形成装置本体側より発生する振動を吸収する吸振部材が取り付けられていることが好ましい。
【００１３】
この構成によれば、画像形成装置本体側より固定座部を介して筒部本体に伝わる振動を、該固定座部に取付けられた吸振部材によって吸収することができる。したがって、筒部本体が画像形成装置本体側からの振動により破損したり変形したりするのを防止することができる。
【００１４】
上記脚部が挿入される上記筒部の数は２つであることが好ましい。
【００１５】
この構成によれば、上記筒部が２つ設けられているので、筒部が１つの場合に比べて本体フレームに対するスキャナ筐体の位置決めを容易に且つ精度良く行うことができる。
【００１６】
本発明に係る画像形成装置は、上記画像読取装置と、上記画像形成装置本体内に収容され、上記画像読取装置により読取った原稿の画像を用紙に印刷する画像形成部とを備えている。
【００１７】
この構成によれば、原稿押さえ部材と共に上下方向にスライドする脚部からの荷重に起因する構成部品の破損及び変形を防止しすることができる。また、原稿さえ部材の閉じ際の速度を十分に抑制し、延いては、原稿押さえ部材の閉じ際の衝撃音に起因するユーザーの不快感を低減することができる。
【発明の効果】
【００１８】
本発明によれば、原稿押さえ部材と共に上下方向にスライドする脚部からの荷重に起因する構成部品の破損及び変形を防止しつつ、原稿さえ部材の閉じ際の速度を十分に抑制可能な画像読取装置及び画像形成装置が安価に提供される。
【図面の簡単な説明】
【００１９】
【図１】図１は、実施形態における画像読取装置を備えた画像形成装置を示す概略の断面図である。
【図２】図２は、画像形成装置の分解斜視図である。
【図３】図３は、ヒンジ機構を示す側面図である。
【図４】図４は、図３のIV方向矢視図である。
【図５】図５は、回動部を開方向に回動させた状態を示すヒンジ機構の側面図である。
【図６】図６は、一方の筒部及びその周辺を拡大して示す拡大斜視図である。
【図７】図７は、原稿押さえ部材の自重により筒部内において脚部が傾いた状態を示すヒンジ機構の側面図である。
【発明を実施するための形態】
【００２０】
以下、本発明の実施形態を図面に基づいて詳細に説明する。尚、本発明は、以下の実施形態に限定されるものではない。
【００２１】
《実施形態》
図１は、実施形態における画像読取装置としての複合機Ｘを示している。この複合機Ｘは、画像形成装置本体１と、該画像形成装置本体１の上側を覆うようにその上端部に固定された画像読取装置２とを有している。複合機Ｘは、画像読取装置２で読み取られた画像データ、又は外部のパーソナルコンピュータ等の情報処理装置から入力された画像データに基づいて用紙に画像を形成する電子写真方式の画像形成装置として機能する。図１では、図を見易くするために画像読取装置２の高さ方向の寸法を実際よりも大きく描いている。以下の説明において、特に断らない限り、左側、右側は、複写機Ｘを前側（図１の紙面垂直方向の手前側）から見たときの左側、右側を意味し、前側、後側は、複写機Ｘの前側、後側を意味する。
【００２２】
上記画像形成装置本体１は、画像形成部３と画像形成部３を内部に収容するハウジング４とを有している。画像形成部３は、給紙カセット３０、感光体ドラム３１、帯電装置３２、現像装置３３、トナーコンテナ３４、転写ローラー３５、除電装置３６、定着ローラー３７、加圧ローラー３８を有している。画像形成部３は、画像形成装置本体３内に収容されている。画像形成装置本体１の側面には排紙トレイ３９が装着されている。
画像形成装置本体１では、上記給紙カセット３０から供給される用紙に以下の手順で画像が形成される。具体的には、先ず帯電装置３２によって上記感光体ドラム３１が所定の電位に一様に帯電される。次に、不図示のレーザースキャナーユニット（ＬＳＵ）により上記感光体ドラム３１の表面に画像データに基づく光が照射される。これにより、感光体ドラム３１の表面に静電潜像が形成される。そして、上記感光体ドラム３１上の静電潜像は上記現像装置３３によってトナー像として現像される。尚、現像装置３３には、上記トナーコンテナ３４からトナーが補給される。続いて、上記感光体ドラム３１に形成されたトナー像は上記転写ローラー３５によって用紙に転写される。その後、用紙に転写されたトナー像は、その用紙が上記定着ローラー３７及び上記加圧ローラー３８の間を通過する際に上記定着ローラー３７で加熱されて溶融定着する。尚、上記感光体ドラム３１の電位は上記除電装置３６で除電される。
【００２３】
図２に示すように、画像形成装置本体１のハウジング４は、金属製の本体フレーム５と、該本体フレーム５の前後左右の各側面に装着された板金カバー（図示省略）とを有している。本体フレーム５は、上下方向に間隔を空けて配置された下側矩形枠部５ａ及び上側矩形枠部５ｂと、上下方向に延びて該両枠状部５ａ，５ｂ同士を連結する４つの柱状部５ｃ（図では画像形成装置本体１の右側端部に位置する２つの柱状部５ｃのみを示す）とを有している。上側矩形枠状部５ｂは、前後方向に互いに間隔を空けて平行に並ぶ前側辺部５ｄ及び後側辺部５ｅと、左右方向に互いに間隔を空けて平行に並ぶ左側辺部５ｆ及び右側辺部５ｇとを有している。
【００２４】
図１に戻って、上記画像読取装置２は、スキャナ筐体１０、コンタクトガラス１１、読取ユニット１２、ミラー１３，１４、光学レンズ１５，及びＣＣＤセンサー１６を備えている。
【００２５】
スキャナ筐体１０は、平面視が矩形状をなす箱状体で構成されていて、上記本体フレーム５（図２参照）の上側矩形枠部５ｂの上面にボルト等で固定されている。上記コンタクトガラス１１は、上記スキャナ筐体１０の上面に装着されていて、上記複合機Ｘの画像読取対象となる原稿Ｐが載置される原稿台を形成している。
【００２６】
上記読取りユニット１２は、画像読取時には、ＬＥＤ光源１２１よりコンタクトガラス１１上の原稿に向けて光を照射しながら副走査方向（図１の左右方向）に移動すると共に、原稿からの反射光をミラー１２２により水平方向に反射する。上記ミラー１２，１３は、ミラー１２２からの反射光をＣＣＤセンサー１６へと導く。ＣＣＤセンサー１６は、受光した光を光電変換して原稿画像の画像データを生成する。生成された画像データは、不図示のデータ記憶部に記憶される。そうして、上記画像読取装置２は、上記コンタクトガラス１１上に載置された上記原稿Ｐの画像（原稿画像）を光学的に読取ってその画像データを生成する。
【００２７】
上記スキャナ筐体１０の上面は、原稿押さえ部材としての原稿カバー２０により開閉可能に覆われている。本実施形態では、原稿カバー２０は原稿自動送り装置２５（いわゆるＡＤＦ）と一体化されている。原稿自動送り装置２５は、原稿給紙トレイ２６と、原稿給紙トレイ２６の下側に設けられた原稿排紙トレイ２７と、該原稿給紙トレイ２６から原稿排紙トレイ２７に至るＵ字状の原稿搬送経路２８とを有している。原稿自動送り装置２５は、原稿給紙トレイ２６上の原稿を、原稿搬送路２８に沿って配置された複数の搬送ローラー対２９によって一枚ずつ下流側に送り出して、コンタクトガラス１１上に設定された原稿読取り位置１１ａを通過させた後、原稿排紙トレイ２７に排出する。ＣＣＤセンサー１６では、画像読取り位置１１ａを通過する原稿の画像を読み取ってその画像データを生成する。
【００２８】
上記原稿カバー２０の後端部には、左右方向に間隔を空けて並ぶ一対のヒンジ機構５０が取付けられている。両ヒンジ機構５０の構成は同様であるため、以下では右側のヒンジ機構５０についてのみ説明を行う。図３及び図４に示すように、ヒンジ機構５０は、上下方向に延びる脚部５１と、脚部５１の上端部に固定された静止部５２と、該静止部５２に対してヒンジ軸５４を介して回動可能に連結された回動部５３とを有している。
【００２９】
脚部５１及び静止部５２は、共通の一つの金属板を折り曲げて形成されている。脚部５１は、後側に開放する断面コ字状に形成されている。
【００３０】
静止部５２は、左右方向に間隔を空けて並ぶ一対の側壁部５２ａを有している。一対の側壁部５２ａの上端部には上記ヒンジ軸５４が両端支持されている。一対の側壁部５２ａの上下方向の中間部には、後述のリテーナ６６に当接する当接軸５５が両端支持されている。
【００３１】
回動部５３は、脚部５１及び静止部５２とは別の金属板を折り曲げて形成されている。回動部５３は、左右方向に間隔を空けて並ぶ一対の側壁部５３ａを有している。一対の側壁部５３ａは上壁部５３ｋを介して連結されている。一対の側壁部５３ａの基端部はヒンジ軸５４に対して回動可能に支持されている。上壁部５３ｋの先端部は一対の側壁部５３ａの内側に向かって略直角に折り曲げられて前壁部５３ｂを形成している。図３及び図４を参照して、回動部５３は、静止部５２を上方から覆うように且つ回動部５３の両側壁部５３ａが静止部５２の両側壁部５２ａを両側から覆うように配置され、それぞれの側壁部５３ａ及び側壁部５２ａ同士がヒンジ軸５４を介して連結されることにより、回動部５３は、静止部５２に対してヒンジ軸５４を介して回動可能に連結されている。左右方向から見て回動部５３が脚部５１に対して直交する状態（図３の状態）では、回動部５３の前壁部５３ｂと静止部５２の当接軸５５との間には所定の間隔が形成されている。回動部５３の前壁部５３ｂと当接軸５５との間には、原稿カバー２０に対し開方向の付勢力を付与することで該原稿カバー２０の開放角度を任意の角度に保持する保持機構６０が設けられている。保持機構６０は、圧縮コイルバネ６５及び略カップ状のリテーナ６６を含んでいる。圧縮コイルバネ６５の一端部は前壁部５３ｂの位置決め突起５３ｃに外挿され、圧縮コイルバネ６５の他端部はリテーナ６６内に収容されている。リテーナ６６は、回動部５３の内側の矩形状空間内に収容されている。リテーナ６６の後端面には傾斜面６６ａが形成されている。傾斜面６６ａは、左右方向から見て、下側に向かって前側に傾斜している。
【００３２】
図３及び図５を参照して、原稿カバー２０が開閉される際のヒンジ機構５０及び保持機構６０の動作について説明する。図３に示されるように、原稿カバー２０が閉位置に位置づけられた状態では、回動部５３は脚部５１に対して直交して配置されている。この状態では、圧縮コイルバネ６５が回動部５３を静止部５２に対してヒンジ軸５４回りに閉方向に付勢している。原稿カバー２０がユーザーの手によって開方向（図３の時計回り方向）に回動されて所定の中立位置を超えると、圧縮コイルバネ６５の付勢力が原稿カバー２０の自重による閉方向の回転モーメントに打ち勝つか又はバランスするので、原稿カバー２０が任意の開放角度に保持される（図５参照）。尚、図５では、脚部５１が鉛直方向に延びて示されているが、実際には後述するように脚部５１は鉛直方向に対して傾いている（図７参照）。原稿カバー２０が、任意の開放角度に保持された状態から閉方向（図５の反時計回り方向）に回動されて上記所定の中立位置を下方に超えると、原稿カバー２０が圧縮コイルバネ６５によってヒンジ軸５４回りに閉方向に付勢される。この結果、原稿カバー２０は図３に示す閉位置に位置付けられる。
【００３３】
上記脚部５１は、本体フレーム５の後側辺部５ｅに立設された筒部９に上方から挿入されていて、該筒部９内を上下方向にスライド（移動）可能になっている。したがって、ユーザーは原稿カバー２０を手で持ち上げて上下にスライドさせることができる。これにより、原稿の厚みの大小に対応可能になっている。図６に示すように、上記筒部９は、上下方向に延びる矩形筒状の筒部本体９ａと、筒部本体９ａの下端部から左右両側にそれぞれ突出する固定座部９ｂとを有している。固定座部９ｂは、ボルト７０により上記本体フレーム５の後側辺部５ｅの上面（つまりスキャナ筐体１０を支持する支持面）に固定されている。各固定座部９ｂの上面には吸振部材７１が取付けられている。吸振部材７１は例えばゴムやウレタン等のシート材で構成されていて、固定座部９ｂの上面に接着剤等で固定されている。吸振部材７１は、スキャナ筐体１０を本体フレーム５の上側に固定した状態でスキャナ筐体１０の下面に当接している。そして、吸振部材７１は、画像形成装置本体１側より発生する振動（例えば感光体ドラム３１や定着ローラー３７の回転振動等）を吸収する役割を果たしている。
【００３４】
スキャナ筐体１０におけるコンタクトガラス１１よりも後側の端部には、一対の筒部９が貫通する一対の貫通孔１０ｆ（図２参照）が形成されている。一対の貫通孔１０ｆは左右方向に間隔を空けて形成されている。各貫通孔１０ｆは、上下方向に延びる四角柱状孔からなる。各貫通孔１０ｆは、矩形筒状の貫通孔形成筒部１０ｇにより形成されている。各貫通孔形成筒部１０ｇは、スキャナ筐体１０の上壁部から下壁部まで鉛直に延びている。上記本体フレーム５から突出する各筒部９の外側面は、スキャナ筐体１０の各貫通孔１０ｆの内壁面（つまり貫通孔形成筒部１０ｇの内壁面）に密着して嵌合している。
【００３５】
上記筒部９の左右の側壁の間隔は、脚部５１の左右方向の寸法と同等に設定されているのに対し、筒部９の前後の側壁の間隔は、脚部５１の前後方向の寸法よりも大きく設定されている。こうすることで、図７に示すように、脚部５１が原稿カバー２０の自重により筒部９内で前側に傾いて突っ張るので、原稿カバー２０の閉じ際の速度を極力弱めることができる。これにより、原稿カバー２０の閉じ際の衝撃音を抑えてユーザーの不快感を低減することができる。
【００３６】
ここで、従来の画像読取装置２では、例えばスキャナ筐体１０に一体形成された樹脂製の貫通孔形成筒部１０ｇ（貫通孔１０ｆ）に脚部５１を差し込むようにしているので、上述のように、脚部５１を原稿カバー２０の自重により前側に傾けることで原稿カバー２０の閉じ際の速度を弱める方式を採用した場合、脚部５１より貫通孔形成筒部１０ｇに作用する荷重により貫通孔形成筒部１０ｇが破損したり変形したりする虞がある。
【００３７】
これに対して、本実施形態では、脚部５１が挿入される筒部９が画像形成装置本体１の本体フレーム５に固定されているので、筒部９の剛性を格段に高めることができる。よって、脚部５１が筒部９内で突っ張った際に、筒部９が脚部５１からの荷重により破損したり変形したりするのを防止することができる。
【００３８】
また、本実施形態では、筒部９を金属材料で構成するようにしているので、筒部９を樹脂材で構成した場合に比べて筒部９の剛性を可及的に高めることができる。よって、上述した筒部９の破損及び変形をより一層確実に防止することができる。
【００３９】
また、筒部９は、スキャナ筐体１０の後端部に形成された貫通孔１０ｆに嵌合して該スキャナ筐体１０を上下方向に貫通している。したがって、画像形成装置本体１の組立て工程において本体フレーム５の上側にスキャナ筐体１０をセットする際に、筒部９が本体フレーム５に対するスキャナ筐体１０の位置決め部材として機能する。したがって、本体フレーム５に対するスキャナ筐体１０の位置決め機構を別途設ける必要がない分、装置１全体の低コスト化を図ることができる。また、本実施形態では、この位置決め部材としての筒部９を２つ設けるようにしているので、本体フレーム５に対するスキャナ筐体１０の位置決めを容易に且つ精度良く行うことができる。
【００４０】
また本実施形態では、筒部９は、上下方向に延びる筒部本体９ａと、筒部本体９ａの下端部に接続され、本体フレーム５におけるスキャナ筐体１０を支持する支持面に固定される固定座部９ｂとを有しており、固定座部９ｂの上面には、画像形成装置本体１側より発生する振動を吸収する吸振部材７１が取り付けられている。
【００４１】
この構成によれば、画像形成装置本体１側より固定座部９ｂを介して筒部本体９ａに伝わる振動を、該固定座部９ｂに取付けられた吸振部材７１によって吸収することができる。したがって、筒部本体９ａが画像形成装置本体１側からの振動により破損したり変形したりするのを防止することができる。
【００４２】
《他の実施形態》
本発明は、上記実施形態について、以下のような構成としてもよい。
【００４３】
すなわち、上記実施形態では、画像形成装置の一例として複合機Ｘについて説明したが、画像形成装置は複写機Ｘに限らず、例えば複合機やプリンター等であってもよい。
【００４４】
上記実施形態では、筒部９を金属材料で構成するようにしているが、これに限ったものではなく、筒部９は樹脂材で構成されていてもよい。
【００４５】
また、上記実施形態では、原稿カバー２０が原稿自動送り装置２５と一体化されているが、原稿自動送り装置２５は必ずしも必要ではない。
【産業上の利用可能性】
【００４６】
以上説明したように、本発明は、画像読取装置及び該画像読取装置を備えた画像形成装置について有用である。
【符号の説明】
【００４７】
X      複合機（画像形成装置）
１     画像形成装置本体
２     画像読取装置
３     画像形成部
５     本体フレーム
９     筒部
９ａ   筒部本体
９ｂ   固定座部
１０   スキャナ筐体
１０ｆ 貫通孔
１１   コンタクトガラス
２０   原稿カバー（原稿押さえ部材）
５０   ヒンジ機構
５１   脚部
５２   静止部
５３   回動部
５４   ヒンジ軸
５５   当接軸
６０   保持機構
７１   吸振部材
【図１】
2016051966.tif 000003
【図２】
2016051966.tif 000004
【図３】
2016051966.tif 000005
【図４】
2016051966.tif 000006
【図５】
2016051966.tif 000007
【図６】
2016051966.tif 000008
【図７】
2016051966.tif 000009